(57)【特許請求の範囲】
【請求項１】
適宜間隔をもって並行して立設される複数の支柱と、前記支柱の上端部を長さ方向に連結する縦杆と、前記支柱の上端部を幅方向に連結する横杆と、から構成される植物支持枠体と、葉茎保持網体と、土壌は通過させず水及び空気は通過させる素材から形成した袋体であって、その開口部を開閉自在とした塊根収容体と、蔓性植物と、から構成したものであって、
屋上の設置面に複数直線状に設置した空調装置の室外機の間に直線状に形成した作業用通路の長さ方向の一端から他端まで、その作業用通路に沿って複数の前記支柱を適宜間隔をもって並行して立設し、前記支柱の上端部を前記縦杆によって前記作業通路の長さ方向に連結し、前記支柱の上端部を前記横杆によって前記作業通路の幅方向に連結して、前記植物支持枠体を設置し、前記植物支持枠体の上端面部に前記葉茎保持網体を紐状部材又はフック状係止部材を介して連結して張設し、前記塊根収容体の袋体内に土壌及び前記蔓性植物であるサツマイモの塊根を収容した後、その開口部に挿通した紐状部材によってその開口部を閉鎖させ、前記紐状部材の一端部を前記植物支持枠体の上端面部に縛着して前記塊根収容体を吊下し、前記サツマイモの葉茎を前記塊根収容体の開口部から引き出し、前記葉茎保持網体にまで到達させ、前記葉茎保持網体を被覆するようにしたことを特徴とする屋上緑化システム。
【請求項２】
前記葉茎保持網体は、耐水性、耐候性が高い合成繊維製紐状体を縦横に編成した網体であることを特徴とする請求項１に記載の屋上緑化システム。
【請求項３】
前記塊根収容体は、不織布製袋体であることを特徴とする請求項１又は２に記載の屋上緑化システム。
【請求項４】
さらに、給水槽と、追肥槽と、を付設し、前記塊根収容体に、前記給水槽から給水管を介して水を、前記追肥槽から追肥管を介して養液を供給するようにしたことを特徴とする請求項１乃至３の何れかに記載の屋上緑化システム。
【請求項５】
前記水及び養液は、これらを供給するポンプに自動制御装置を付設し、適宜時間間隔で自動的に供給するようにしたことを特徴とする請求項４に記載の屋上緑化システム。
【発明の詳細な説明】
【技術分野】
【０００１】
本発明は、建物の屋上を緑化すると共に、建物の冷暖房用エネルギを省エネルギ化することができる屋上緑化システムに関する。
【背景技術】
【０００２】
近年、建物の屋上で植物を栽培し、緑化することによって、都市の大気汚染等に対する環境改善を図ると共に、ヒートアイランド現象を緩和することが普及しつつある。建物の屋上で植物を栽培すれば、植物の光合成によって、大気中の二酸化炭素を吸収し、葉等に固定するために、大気を浄化することができると共に、植物の呼吸によって、大気から気化熱を吸収し、水分を蒸散するために、大気を冷却することができる。
【０００３】
屋上を緑化する方法として、従来、土壌と植物を収納できる容器を支持脚に載置した植栽ユニットを構成し、この植栽ユニットを屋上の設置面に多数設置するものが提案されている（特許文献１参照）。この方法によれば、多数の容器と屋上の設置面との間に空間部を形成することができて、日蔭となる領域を確保することができると共に、その空間部に蓄積される冷気によって、建物を効率的に冷却することができる。
【０００４】
【特許文献１】特開２００９−１７１８８４号公報
【発明の開示】
【発明が解決しようとする課題】
【０００５】
しかし、特許文献１に記載の屋上緑化方法では、多数の植栽ユニットを設置する必要があるから、設置作業に多大な時間と労力を必要とした。又、強風、大雨等によって土壌が飛散、漏出するから、頻繁な保守作業及び清掃作業も必要であった。さらに、多数の植栽ユニットに包囲された空間部に熱が籠って、却って冷却効果を阻害する虞もあった。
【０００６】
本発明は、このような従来の問題点に鑑みて為されたものであって、設置作業に多大な時間と労力を必要とせず、頻繁な保守作業及び清掃作業も必要とせず、十分に冷却効果を維持することができる屋上緑化システムを提供することを目的とする。
【課題を解決するための手段】
【０００７】
上記目的を達成するために、本発明の屋上緑化システムは、適宜間隔をもって並行して立設される複数の支柱と、前記支柱の上端部を長さ方向に連結する縦杆と、前記支柱の上端部を幅方向に連結する横杆と、から構成される植物支持枠体と、葉茎保持網体と、土壌は通過させず水及び空気は通過させる素材から形成した袋体であって、その開口部を開閉自在とした塊根収容体と、蔓性植物と、から構成したものであって、屋上の設置面に複数直線状に設置した空調装置の室外機の間に直線状に形成した作業用通路の長さ方向の一端から他端まで、その作業用通路に沿って複数の前記支柱を適宜間隔をもって並行して立設し、前記支柱の上端部を前記縦杆によって前記作業通路の長さ方向に連結し、前記支柱の上端部を前記横杆によって前記作業通路の幅方向に連結して、前記植物支持枠体を設置し、前記植物支持枠体の上端面部に前記葉茎保持網体を紐状部材又はフック状係止部材を介して連結して張設し、前記塊根収容体の袋体内に土壌及び前記蔓性植物であるサツマイモの塊根を収容した後、その開口部に挿通した紐状部材によってその開口部を閉鎖させ、前記紐状部材の一端部を前記植物支持枠体の上端面部に縛着して前記塊根収容体を吊下し、前記サツマイモの葉茎を前記塊根収容体の開口部から引き出し、前記葉茎保持網体にまで到達させ、前記葉茎保持網体を被覆するようにしたことを特徴とする。
【０００８】
ここで、前記葉茎保持網体は、耐水性、耐候性が高い合成繊維製紐状体を縦横に編成した網体であるのが好ましい。
【０００９】
又、前記塊根収容体は、不織布製袋体であるのが好ましい。
【００１０】
さらに、給水槽と、追肥槽と、を付設し、前記塊根収容体に、前記給水槽から給水管を介して水を、前記追肥槽から追肥管を介して養液を供給するようにしてもよい。
【００１１】
又、前記水及び養液は、これらを供給するポンプに自動制御装置を付設し、適宜時間間隔で自動的に供給するようにすれば、より好ましい。
【発明の効果】
【００１２】
本発明の屋上緑化システムは、蔓性植物の葉茎が繁茂し、葉茎保持網体の全体を被覆した状態では、室外機の吸込口周辺の空気を冷却する効果が高く、その結果、空調装置の省エネルギ化を十分に達成することができる。
【００１３】
蔓性植物として塊根が食用となるサツマイモを使用すれば、葉茎の繁茂と共に、塊根も成長して肥大化して食用とすることができ、サツマイモを収穫するという楽しみも併せ持つことができる。
【００１４】
さらに、本発明の屋上緑化システムは、植物支持枠体と、葉茎保持網体と、塊根収容体とを使用するだけであるから、屋上緑化システムの設置作業及び撤去作業にそれほど多大な時間及び労力を必要としない。
【００１５】
又、塊根収容体として、土壌は通過させないが、水及び空気は通過させる素材から成る袋体を使用するから、強風、大雨等があっても、土壌等が散逸しないから、頻繁な保守作業及び清掃作業も不要である。
【図面の簡単な説明】
【００１６】
【図１】本発明の屋上緑化システムの一実施形態の概略構成図である。
【図２】植物支持枠体の外観斜視図である。
【図３】塊根収容部材の外観斜視図である。
【図４】サツマイモの斜視図である。
【図５】本発明の屋上緑化システムを屋上に設置した状態を示す平面図である。
【図６】本発明の屋上緑化システムの他実施形態の概略構成図である。
【図７】室外機の吸込口周辺温度の時刻変化を示すグラフである。
【図８】空調装置の消費電力の時刻変化を示すグラフである。
【発明を実施するための形態】
【００１７】
本発明の屋上緑化システムの好適な実施形態について、以下、図面を参照して詳細に説明する。
【００１８】
［実施形態１］
本発明の屋上緑化システム１は、図１乃至５に示すように、植物支持枠体２と、葉茎保持網体３と、塊根収容体４と、蔓性植物５と、給水槽６と、追肥槽７と、給水管８と、追肥管９と、から構成してある。
【００１９】
植物支持枠体２は、図１、２及び５に示すように、支柱１０と、縦杆１１と、横杆１２と、から構成され、屋上５１の設置面５２に設置してある空調装置の室外機５３の作業用通路５４に設置される。
支柱１０は、屋上５１の設置面５２の作業用通路５４に沿って適宜間隔で適宜個数だけ立設される。縦杆１１は、作業用通路５４の長さ方向に、支柱１０，１０，・・・の上端部を連結するように、横杆１２は、作業用通路５４の幅方向に、支柱１０，１０の上端部を連結するように設置される。
【００２０】
葉茎保持網体３は、両側の縦杆１１，１１との間、及び、両端の横杆１２，１２との間に、すなわち、植物支持枠体２の上端部に、複数の連結部材３ａによって連結され、張設される。葉茎保持網体３としては、耐水性、耐候性が高く、引張強度、剪断強度の強い合成繊維製紐状体を縦横に編成し、網体としたものを使用するのが好ましい。網目の大きさについては、蔓性植物の茎５ｂが通過すると共に、絡み付き易い大きさが好ましい。
連結部材３ａとしては、紐状部材を使用して、縦杆１１又は横杆１２の適宜個所に縛着してもよく、フック等の係止部材を使用して、縦杆１１又は横杆１２の適宜個所に係止してもよい。
【００２１】
塊根収容体４は、蔓性植物５の塊根５ａを収容するものであって、土壌Ｓは通過させないが、水Ｗ及び空気Ａは通過させる素材から成る袋体であるのが好ましい。特には、図３に示すように、適宜素材から成る不織布から袋状体４ａを構成し、開口部に紐状体４ｂを挿通し、開閉自在とした不織布製袋体を採用するのが好ましい。
このような塊根収容体４を使用すれば、室外機５３が吸い込む空気Ａが葉茎及び袋状体４ａの表面を通過して、袋状体４ａに流入するから、内部の土壌Ｓに常時十分な酸素を行き渡らせ、蔓性植物５の生長を促進させる、という効果がある。
【００２２】
蔓性植物５は、図４に示すように、自らの剛性で体を支えるのではなく、他の樹木等を支えにすることで、高いところへ茎５ｂを伸ばす植物である。蔓性植物５は、又、若い茎５ｂが他物に巻き付くという屈触性を有する。
本発明では、蔓性植物５として、ヒルガオ科サツマイモ属に属するアサガオ、サツマイモ等を採用するが、特に、塊根５ａが食用となるサツマイモを使用すれば、葉茎の繁茂と共に、塊根５ａも成長して肥大化するから、サツマイモを収穫して、食することができるという楽しみもある。
【００２３】
給水槽６は、図１及び５に示すように、蔓性植物５の塊根５ａに供給する水Ｗを貯留するものであり、給水管８を介して水Ｗを塊根収容体４内の土壌Ｓに供給するようになっている。
【００２４】
追肥槽７は、図１及び５に示すように、蔓性植物５の塊根５ａに供給する養液Ｆを貯留するものであり、追肥管９を介して養液Ｆを塊根収容部材４内の土壌Ｓに供給するようになっている。
【００２５】
本発明の屋上緑化システム１は以上のような構成であり、次に、この設置方法について説明する。
【００２６】
先ず、図１乃至５に示すように、建物の屋上５１の設置面５２に設置してある空調装置の室外機５３の作業用通路５４に沿って、適宜間隔で複数の支柱１０，１０，・・・を立設する。次に、作業用通路５４の長さ方向に、支柱１０，１０，・・・の上端部を連結するように、縦杆１１，１１を設置する。そして、作業用通路５４の幅方向に、支柱１０，１０，・・・の上端部を連結するように、横杆１２，１２，・・・を設置する。このようにして、屋上５１の設置面５２に植物支持枠体２を構成する。
【００２７】
次に、図２に示すように、両側の縦杆１１，１１との間、及び、両端の横杆１２，１２との間に、すなわち、植物支持枠体２の上端部に、複数の連結部材３ａによって葉茎保持網体３を連結し、張設する。ここで、連結部材３ａとして紐状部材を使用する場合には、縦杆１１、横杆１２の適宜位置に紐状部材を巻き付けて縛着する。又、フック状の係止部材を使用する場合には、縦杆１１、横杆１２の適宜位置に係止部材を掛止して固定する。
【００２８】
次に、図３に示すように、塊根収容体４の袋状体４ａ内に蔓性植物５の塊根５ａ及び茎５ｂを挿入し、土壌Ｓを８分目程度充填する。そして、土壌Ｓに適宜量の水Ｗを供給しておくと共に、養液Ｆも供給しておく。
この塊根収容体４の袋状体４ａの開口部から蔓性植物５の茎５ｂが脱出した状態で、開口部を紐状部材４ｂによって縛って閉鎖させ、図１に示すように、紐状部材４ｂの上端部を、縦杆１１若しくは横杆１２、又は葉茎保持網体３の適宜位置に縛着して、塊根収容体４を植物支持枠体２の上端部から吊下する。
【００２９】
そして、図１に示すように、塊根収容体４の袋状体４ａの開口部から内部に給水管８及び追肥管９の一端部を挿入させて、適宜時間間隔で蔓性植物５の塊根５ａに水Ｗ及び養液Ｆを供給するように設定する。
ここで、水Ｗ及び養液Ｆの供給は、作業者がボンプを作動させることによって、供給するようにしてもよいが、ポンプに自動制御装置を付設しておき、適宜時間間隔で自動的に供給するようにしてもよい。
【００３０】
本発明の屋上緑化システム１は以上のようにして設置し、設置後に以下のような作用、効果を発揮する。
【００３１】
屋上緑化システム１は、設置して数日後には、塊根収容体４の袋状体４ａ内に挿入した蔓性植物５の塊根５ａから若い茎５ｂが上方に伸びていき、次いで、縦杆１１と横杆１２との間に張設した葉茎保持網体３に絡み付きながら、葉茎保持網体３の縦横方向に伸びていく。
【００３２】
そして、設置して２、３週間後には、葉茎保持網体３の縦横方向に伸びた茎５ｂ及び葉５ｃは、両側の縦杆１１及び両端の横杆１２から垂れ下がり、又、支柱１０に絡み付きながら下方にも伸びていき、約１ヶ月半後には、植物支持枠体２に張設した葉茎保持網体３全体を被覆して、繁茂するようになる。
【００３３】
これによって、縦杆１１と横杆１２との間及び支柱１０，１０間に繁茂した茎５ｂ及び葉５ｃを通過する空気Ａは、気化熱を吸収されて冷却されると共に、蒸散された水蒸気を伴なって、室外機５３の周辺部に流入するから、室外機５３の吸込口から吸引される空気Ａは比較的低温に保持されることになる。
【００３４】
ここで、蔓性植物５の茎葉が繁茂し、葉茎保持網体３の全体を被覆した状態で、又、蔓性植物５の茎葉を繁茂させず、鋼板によって日陰を形成した状態で、それぞれ、室外機５３の吸込口周辺の空気の温度を所定時刻毎に測定していったところ、図７に示すような結果となった。
これより、室外機５３の吸込口周辺に単に日陰を形成した場合に比較して、本発明の屋上緑化システムの場合は、大気の冷却効果が十分に高いことがわかる。
【００３５】
又、蔓性植物５の茎葉が繁茂し、葉茎保持網体３の全体を被覆した状態で、又、蔓性植物５の茎葉を繁茂させず、何等の処置もせず日向のままの状態で、それぞれ、空調装置の１０分当たりの消費電力を所定時刻毎に測定していったところ、図８に示すような結果となった。
これより、室外機５３の吸込口周辺に何等の処置もしない場合に比較して、本発明の屋上緑化システムの場合は、省エネルギ化を十分に達成できることがわかる。
【００３６】
さらに、蔓性植物５として、塊根５ａが食用となるサツマイモを使用すれば、２、３ヶ月後には、塊根５ａが成長して十分に肥大化し、塊根収容体４の袋状体４ａ内から取り出して、食用とすることができ、収穫するという楽しみも併せ持つことになる。
【００３７】
尚、上記実施形態では、図１に示すように、塊根収容体４を植物支持枠体２の上端部から吊下するようにしたが、塊根収容体４を設置台に載置して、又は、設置面に直接載置して、植物支持枠体２の下端部近傍に配置するようにしてもよい。但し、この場合には、塊根収容体４が容易に移動したり、傾倒して土壌Ｓが散逸しないようにする必要がある。
【００３８】
［実施形態２］
上記屋上緑化システム１に代えて、図６に示すような屋上緑化システム３１を構成することもできる。
屋上緑化システム３１は、図６に示すように、植物支持枠体２と、葉茎保持網体３と、塊根収容体３４と、蔓性植物５と、給水槽３６と、給水管３８と、から構成してある。
【００３９】
ここで、植物支持枠体２、葉茎保持網体３の構成及び設置方法、及び使用する蔓性植物５については、屋上緑化システム１におけると同様であるので、説明を省略する。
【００４０】
塊根収容体３４は、図６に示すように、合成樹脂製又は金属製の剛性を有する、上端を開口部とする容器であって、蔓性植物５の塊根５ａを収容するものである。塊根収容体３４は、設置台に載置して、又は、設置面に直接載置して、植物支持枠体２の下端部近傍に配置する。そして、塊根収容体３４が容易に移動したり、傾倒して土壌Ｓが散逸しないようにする。
【００４１】
給水槽３６は、図６に示すように、蔓性植物５の塊根５ａに供給する水Ｗを貯留するものであって、植物支持枠体２の上方の適宜位置に配設してあり、給水管３８を介して水Ｗを塊根収容体４内の土壌Ｓに供給するようになっている。
【００４２】
図６に示すように、塊根収容体３４内に蔓性植物５の塊根５ａ及び茎５ｂを挿入し、土壌Ｓを８分目程度充填する。そして、土壌Ｓに適宜量の水Ｗを供給しておくと共に、養液Ｆも供給しておく。
そして、塊根収容体３４の開口部から蔓性植物５の茎５ｂを脱出させ、一方、開口部から内部に給水管３８の一端部を挿入させて、適宜時間毎に塊根収容体４内の土壌Ｓに水Ｗを供給するように設定する。
【００４３】
ここで、水Ｗの供給は、作業者がボンプを作動させることによって、又は、ポンプに自動制御装置を付設しておき、適宜時間毎に自動的に供給するようにしてもよい。
一方、養液Ｆの供給は、作業者が適宜時期に塊根収容体３４内の土壌Ｓに養液Ｆを別の容器等から供給するようにする。
【００４４】
屋上緑化システム３１によっても、屋上緑化システム１と略同様の作用、効果を発揮するが、塊根収容体３４が合成樹脂製又は金属製の剛性を有する、上端を開口部とする容器であるため、土壌等が散逸する虞があると共に、ある程度の保守作業が必要となる。
【００４５】
以上において、蔓性植物５として、ヒルガオ科サツマイモ属に属するアサガオ、サツマイモ等を採用するのが好ましいが、バラ科のイチゴ等を採用してもよい。
イチゴは、女性や子供に好まれるから、食用としては好ましいが、サツマイモの葉ほどの気化熱を吸収しないので、省エネルギ化の面での寄与程度は少々低い。
【００４６】
以上説明したように、本発明の屋上緑化システムは、蔓性植物の葉茎が繁茂し、葉茎保持網体の全体を被覆した状態では、室外機の吸込口周辺の空気を冷却する効果が高く、その結果、空調装置の省エネルギ化を十分に達成することができる。
【００４７】
又、蔓性植物５として塊根５ａが食用となるサツマイモを使用すれば、葉茎の繁茂と共に、塊根５ａも成長して肥大化して食用とすることができ、サツマイモを収穫するという楽しみも併せ持つことができる。
【００４８】
さらに、屋上５１の設置面５２に植物支持枠体２を構成し、植物支持枠体２の上端部に葉茎保持網体３を張設し、塊根収容体４を設置する、という比較的に簡単な作業で設置できるから、設置作業及び撤去作業に多大な時間及び労力を必要としない。
【００４９】
又、塊根収容体４として、土壌Ｓは通過させないが、水Ｗ及び空気Ａを通過させる素材から成る袋体を使用すれば、強風、大雨等があっても、土壌Ｓ等が散逸しないから、頻繁な保守作業及び清掃作業も不要である。
【符号の説明】
【００５０】
１  屋上緑化システム
２  植物支持枠体
３  葉茎保持網体
４  塊根収容体
５  蔓性植物
５ａ  塊根
５ｂ  茎
５ｃ  葉
６  給水槽
７  追肥槽
８  給水管
９  追肥管
３１  屋上緑化システム
３４  塊根収容体
３６  給水槽
３８  給水管
５１  屋上
５２  設置面
５３  室外機
Ｓ  土壌
Ｗ  水
Ｆ  養液
【図１】
0006518127.tif 000002
【図２】
0006518127.tif 000003
【図３】
0006518127.tif 000004
【図４】
0006518127.tif 000005
【図５】
0006518127.tif 000006
【図６】
0006518127.tif 000007
【図７】
0006518127.tif 000008
【図８】
0006518127.tif 000009